(57)【要約】【課題】取り外し可能なホーンを有する時計ケースについて、従来技術の時計ケースの制限がないか、様々な解決手段の利点と欠点の間のより良好な妥協を提供する。【解決手段】ミドル１Ａと、腕時計ストラップ部分５を保持するための、及び当該ホーンをロックする位置と当該ホーンを解放する位置の間で切換可能なロックによりミドル１Ａに保持された少なくとも一対のホーン３Ａと、ミドル１Ａに結合された第１の部材１０Ａと、第１の部材１０Ａと相補的な第２の部材３１Ａとを含み、対のホーン３Ａに取り付けられたロックとを含む時計ケースにおいて、対のホーン３Ａに取り付けられ、ホーン３Ａをロックする位置とホーン３Ａを解放する位置の間でロックを切り換えるために第２の部材３１Ａの移動を可能とする操作部材３０Ａが設けられている。
2019515300.tif 000002
【特許請求の範囲】
【請求項１】
ミドル（１）と、
腕時計ストラップ部分（５）を保持するための、及び当該ホーンをロックする位置と当該ホーンを解放する位置の間で切換可能なロックにより前記ミドルに保持された少なくとも一対のホーン（３）と、
前記ミドルに結合された第１の部材（１０）と、該第１の部材と相補的な第２の部材（３１）とを含み、前記対のホーンに取り付けられたロックと
を含む時計ケースにおいて、
前記対のホーン（３）に取り付けられ、前記ホーンをロックする位置と前記ホーンを解放する位置の間で前記ロックを切り換えるために前記第２の部材の移動を可能とする操作部材（３０）が設けられていることを特徴とする時計ケース。
【請求項２】
前記操作部材を前記ロック位置へ押し戻すために前記対のホーン（３）に取り付けられた弾性的な復帰要素（３４）を含むことを特徴とする請求項１に記載の時計ケース。
【請求項３】
前記操作部材が前記対のホーン（３）に後ろ側で設けられていることを特徴とする請求項１又は２に記載の時計ケース。
【請求項４】
前記ロックの前記第２の部材（３１Ａ）及び前記操作部材（３０Ａ）が同一の要素の２つの部分を形成していることを特徴とする請求項１〜３のいずれか１項に記載の時計ケース。
【請求項５】
当該時計ケースが水平面を規定する底部を含み、前記ロック位置と前記解放位置の間の前記操作部材（３０Ａ）の移動の方向が、前記水平面に対してほぼ垂直であることを特徴とする請求項１〜４のいずれか１項に記載の時計ケース。
【請求項６】
前記ロックの前記第１の部材（１０）が前記ミドルに固定して結合されたボルトで構成されており、前記ロックの前記第２の部材（３１）が前記対のホーン（３）に対して可動なキーパで構成されていることを特徴とする請求項５に記載の時計ケース。
【請求項７】
前記ロックの前記第１の部材（１０）が前記ミドル（１）の側面（１１）において径方向に延びており、前記ロックの前記第２の部材（３１Ａ）が、前記ロック位置において前記ロックの前記第１の部材（１０）が通過するウィンドウ（３１０）を含んでおり、該ウィンドウが、前記ロックの前記第１の部材（１０）の挿入及び引き抜きを可能とする拡大された部分（３１２）と、前記ロックの前記第１の部材（１０）の挿入及び引き抜きを防止する狭小部分（３１１）とを含んでおり、前記対のホーン（３）に取り付けられた前記弾性的な復帰部材（５０）が前記ロックの前記第２の部材（３１Ａ）を前記ロック位置へ押し戻すときに、前記ロックの前記第１の部材（１０）が、前記ウィンドウ（３１０）の前記狭小部分（３１１）を通過することを特徴とする請求項５に記載の時計ケース。
【請求項８】
前記弾性的な復帰部材（３５）が、前記ロックの前記第２の部材（３１Ａ）を支持する２つの板バネ（３４Ａ）で構成されていることを特徴とする請求項５〜７のいずれか１項に記載の時計ケース。
【請求項９】
当該時計ケースが水平面を規定する背部を含み、前記ロック位置と前記解放位置の間の前記操作部材（３０Ｂ）の移動の方向が、前記水平面に対してほぼ平行であることを特徴とする請求項１〜４のいずれか１項に記載の時計ケース。
【請求項１０】
前記ロックの前記第２の部材（３１Ｂ，３１Ｃ）が、前記ロック位置と前記操作位置の間で前記水平面に対して垂直な軸周りに旋回するように適合されていることを特徴とする請求項９に記載の時計ケース。
【請求項１１】
前記ロックの前記第１の部材が前記ミドル（１）の側面（１１）における溝（１０Ｂ，１０Ｃ）で構成されており、前記ロックの前記第２の部材（３１Ｂ，３１Ｃ）が、前記ロック位置において前記溝に係合し、前記解放位置では前記溝の外部にあることを特徴とする請求項１０に記載の時計ケース。
【請求項１２】
前記操作部材が、ユーザによって作動され得る可動のボタン（３０Ｃ）で構成されているとともに、前記ロックの前記第２の部材をロック解除するために前記解放位置において前記ロックの前記第２の部材（３１Ｃ）に作用することを特徴とする請求項９〜１１のいずれか１項に記載の時計ケース。
【請求項１３】
前記ロックの前記第２の部材（３１Ｂ，３１Ｃ）が、前記ロック位置と前記解放位置の間で前記水平面における径方向の並進運動するように適合されていることを特徴とする請求項９に記載の時計ケース。
【請求項１４】
前記ロックの前記第１の部材が前記ミドル（１）の側面（１１）における溝（１０Ｄ）で構成されており、前記ロックの前記第２の部材（３１Ｄ）が、前記ロック位置において前記溝に係合し、前記解放位置では前記溝の外部にあることを特徴とする請求項１３に記載の時計ケース。
【請求項１５】
前記対のホーン（３）及び前記ミドル（１）が、前記ミドル（１）における軸方向において前記対のホーンを挿入する間に、前記対のホーンをガイドするために相補的な形状（３８，１３）を有しており、前記ロックが、前記ロック位置におけるこの軸方向の移動を防止するために径方向に作用することを特徴とする請求項１〜１４のいずれか１項に記載の時計ケース。
【請求項１６】
前記腕時計ストラップ部分（５）の部分（５２）が、前記対のホーン（３）と前記ミドルの部分（１２）の間でサンドイッチされていることを特徴とする請求項１〜１５のいずれか１項に記載の時計ケース。
【請求項１７】
前記対のホーン（３）に対する前記腕時計ストラップ部分（５）の位置決めのためのスプリングボール（５）を含んでいることを特徴とする請求項１〜１６のいずれか１項に記載の時計ケース。
【請求項１８】
前記ロックの第１の部材が、軸方向の移動によって前記対のホーン（３Ｅ）の引き出しを防止する前記ミドル（１Ｅ）の外周における溝（１０Ｅ）で構成されており、前記ロックの前記第２の部材が、該溝において径方向に移動するボルト（３１Ｅ）で構成されているとともに、前記対のホーン（３Ｅ）の前記側面における開口部（３１０）によって、この移動についてガイドされ、前記第２の部材（３１Ｅ）が、前記対のホーン（３Ｅ）に結合された２つの復帰バネ（３４Ｅ）によって前記溝（１０Ｅ）の底部へ押し戻され、前記操作部材（３０Ｅ）が、当該押しボタンが作動されるときに前記復帰バネ（３４Ｅ）の動作に抗して前記第２の部材を時計の外部の方向へ径方向に移動させるために前記第２の部材と協働する前記対のホーンの内面の下方での押しボタンで構成されていることを特徴とする請求項１に記載の時計ケース。
【請求項１９】
請求項１〜１８のいずれか１項に記載の時計ケース（１）に腕時計ストラップ（５）を組み付ける方法であって、以下のステップ：
対のホーン（３）において前記腕時計ストラップ（５）を挿入するステップと、
前記腕時計ストラップ（５）及び前記対のホーン（３）で構成されたアセンブリを前記時計ケース（１）の外面（１１）において挿入するステップと、
前記対のホーンに取り付けられた操作部材（３０）を操作することで前記アセンブリをロックするステップと
を含んでいる、前記方法。
【発明の詳細な説明】
【技術分野】
【０００１】
本発明は、取り外し可能及び交換可能なホーンを有する時計ケースに関するものである。
【背景技術】
【０００２】
一般的に、腕時計は、腕時計ストラップを取り付けるために用いられるホーンを含むミドルを有する時計ケースを含んでおり、通常の時計ケースは二対のホーンを含んでおり、腕時計ストラップの各部分が２つのホーンの間に取り付けられている。
【０００３】
一般的に、ミドルは、ホーンの打抜き加工及び組込によって製造される単一部分で構成されている。複雑な形状を有するホーンを備えたミドルの製造は、困難であるとともに大量生産に良好に適していない。
【０００４】
ミドル及びホーンが別々に製造され、その後に組み立てられる時計ケースの部分も存在する。これらケースは、容易に製造可能である。さらに、ミドルの外面は、旋削加工によって、したがって、ホーンによって直接製造されるミドルの外面よりもより清潔かつより迅速に仕上げられることが可能である。
【０００５】
本出願人により出願された特許文献１には、ミドルと、結合部によって互いに結合された取り外し可能なホーンとを含む時計ケース部分が記載されている。ミドルは、各ホーンのための中空の箇所と、各結合部のための中空の箇所とを含んでいる。これら箇所の深さにより、結合部をマスキングしつつホーンの基礎を位置決めすることが可能である。結合部は、各ホーンを貫通しケースミドルの厚さにおいてネジ付き孔に螺合する２つの垂直なネジによってミドルへ固定される。したがって、工具は、ホーンを取り外すために必要である。さらに、ミドルは、その中に本を保持するためのネジ付き孔を収容するために比較的厚い必要がある。
【０００６】
特許文献２には取り外し可能なホーンが開示されており、各ホーンは、対応する開口部へ挿入されることが可能な２つの突出した要素を含んでいる。ホーンとケースミドルの間の結合は、突出要素が開口部へ挿入される間のこれら突出要素の変形を用いてなされる。この解決手段は、突出要素と協働するのに適合した箇所を生み出すために厚いミドルを必要とする。さらに、ミドルとの結合を得るために突出要素を変形させるために働く力が大きすぎると、ホーンが破壊されるおそれがある。
【０００７】
特許文献３には、当該ミドルの外面がほぞ穴を含むミドルが記載されている。ホーンの端部は、ほぞ穴と同一の四角形（ｓｑｕａｒｉｎｇ）のほぞ（ｔｅｎｏｎ）を含んでいる。このほぞは、ほぞ穴内に挿入されるように配置されており、そして、２つの部分は、ミドル及びほぞにおける孔によって形成されたハウジングにおいてピンで結合されている。ピンの挿入及び引き抜きには工具が必要である。したがって、ホーンは、容易に取り外し可能である。
【０００８】
特許文献４には、ミドル及び二対のホーンを有する時計ケースが記載されている。各対の２つのホーンは、ミドルの内部で弾性部材を用いてミドルに対して保持された側を有する結合部によって結合されている。この弾性部材は、ミドルの輪郭部に配置された開口部を通って結合部に結合されている。したがって、この解決手段は、ミドル内部における弾性部材を必要とし、この弾性部材の組み立ては複雑である。ミドルは、この弾性要素を収容するために厚い必要がある。ミドル全体は、弾性要素の変形又は破損時には修理のために時計製造者へ戻される必要がある。
【０００９】
類似の解決手段が特許文献５に記載されており、この解決手段は、ミドルにおける結合部のジャーナルの長手方向の挿入を指標化するために、ミドル及び結合部における指標化手段を必要とする。
【００１０】
特許文献６及び特許文献７では、ホーンの結合部を収容するよう設定されたハウジングを形成することができるように厚いミドルが必要である。
【００１１】
特許文献８には、腕時計のミドルが記載されており、腕時計のミドルの腕時計ストラップは、ミドルの外方の部分の空洞部に位置されることができるとともにその外面に結合可能なロック要素を用いてミドルに保持されている。この部分は、腕時計ストラップの固定を可能とするロッドと協働する。
【００１２】
特許文献９には、ミドルの一方側における穴を含む腕時計の長方形のミドルが記載されており、穴の壁部は、腕時計ストラップの厚さよりも大きな幅の軸方向のスロットによって横断されている。管状のバネと、当該スリーブの一端が閉鎖されたスリーブとは、このスロットに挿入される。管状のバネは、フレキシブルな腕時計ストラップの自由端が導入される、歯付き軸方向スロットを含んでいる。スリーブ内への管状のバネの軸方向の導入には、歯付きスロットを挟むことにより腕時計ストラップの自由端を固定する板バネの弾性変形が必要となる。この解決手段は、スリーブ及び管状のバネを受け入れる軸方向スロットを形成するための大きな厚さのミドルを必要とする。さらに、この解決手段は、フレキシブルな腕時計ストラップにのみ適している。
【００１３】
特許文献１０には、円筒を収容するように適合された、第１の方向（運動平面に対して垂直）に延びる第１の孔と、腕時計ストラップの結合部に結合されたネジを収容するように適合された、第１の方向に対して垂直な第２の方向（したがって運動平面）に延びる第２の孔とを含む時計ミドルが記載されている。円筒は２つの開口部を含んでおり、これら開口部のうち第１の開口部はこのネジを収容するために適合されており、第２の開口部は、時計ケースの背部（底部）にミドルを固定することが可能な他のネジを収容するために適合されている。ミドルは、ネジ及び円筒を結合する腕時計ストラップを収容する穴をその中に収納するための大きな厚さを必要とする。
【００１４】
したがって、上記時計ケースは、ほとんどの場合、生産が困難なミドルを含んでいる。ミドルにホーンを固定するための手段は、生産するのが困難であるとともに、しばしば非常に厚いミドルを必要とする。したがって、これら解決手段は、小さなサイズ又は低コストで生産される必要がある時計ケースには良好に適していない。さらに、ホーンの取外しは、ほとんどの場合デリケートなプロセスであり、時計製造者の工具が必要であり、あるいは耐水性を一時的に妥協する時計の背部の取外しが必要なこともある。
【先行技術文献】
【特許文献】
【００１５】
【特許文献１】スイス国特許出願公開第７０６２６０号明細書
【特許文献２】欧州特許出願公開第２４３１８２５号明細書
【特許文献３】スイス国特許出願公開第７０１２２１号明細書
【特許文献４】欧州特許出願公開第２１８８６７６号明細書
【特許文献５】欧州特許出願公開第１９０２６４１号明細書
【特許文献６】スイス国特許第３５５０９４号明細書
【特許文献７】スイス国特許第３２１１８８号明細書
【特許文献８】欧州特許出願公開第０４００２０６号明細書
【特許文献９】欧州特許出願公開第０４７１８３４号明細書
【特許文献１０】米国特許第５７３２０４８号明細書
【発明の概要】
【発明が解決しようとする課題】
【００１６】
したがって、取り外し可能なホーンを有する時計ケースについて、上述の時計ケースの制限がないか、様々な解決手段の利点と欠点の間のより良好な妥協を提供する要求が存在する。
【００１７】
ホーンの取付及び取外しの単純化された方法についての要求も存在する。
【００１８】
腕時計ストラップの取付及び取外しの単純化された方法についての要求も存在する。
【課題を解決するための手段】
【００１９】
本発明によれば、これら課題は、特に、ミドルと、
腕時計ストラップ部分を保持するための、及び当該ホーンをロックする位置と当該ホーンを解放する位置の間で切換可能なロックにより前記ミドルに保持された少なくとも一対のホーンと、
前記ミドルに結合された第１の部材と、該第１の部材と相補的な第２の部材とを含み、前記対のホーンに取り付けられたロックと
前記対のホーンに取り付けられ、前記ホーンをロックする位置と解放する位置の間で前記ロックを切り換えるために前記第２の部材の移動を可能とする操作部材とを含む時計ケースによって達成される。
【００２０】
この解決手段は、特に、ホーンと、ロックを操作するための部材とを有さないミドルの製造を簡易化する利点を有している。したがって、ミドルは、非常に薄く、シンプルに機械加工されることが可能である。
【００２１】
複雑性は、ロックを操作するための部材を支持する対のホーンへ移される。ホーンは、通常はフライス切削により製造される小さなサイズの部材から成るとともに、複雑な形状において容易に機械加工され得る。
【００２２】
ホーンに対して操作部材を移行することで、その操作も容易となる。さらに、ホーンの下側の面は腕で強く支持せず、この面は、皮膚を痛める操作部材のリスクを制限する。
【００２３】
好ましくは、操作部材は、手動で、例えば１つの指で操作されることが可能である。
【００２４】
好ましくは、操作部材は、工具なしに操作されることが可能である。
【００２５】
好ましくは、操作部材は、対のホーンの解放中及び腕時計ストラップの取外し中に対のホーンに結合されたままであり、したがって、ホーン又は腕時計ストラップの取外し時のネジ、ピン又は他の構成要素の脱落の全てのリスクが除去される。
【００２６】
操作部材と、好ましくはロックの第２の部材とをロック位置へ押し戻すために、時計ケースは、対のホーンに取り付けられた弾性的な復帰要素、例えばバネを含むことができる。
【００２７】
操作部材は、背側、すなわち時計が着けられているときにホーンにおける腕と面する側で対のホーンに設けられている。したがって、操作部材は、時計が付けられているときには隠されているとともに、不意の操作のリスクからも保護されている。
【００２８】
ロックの第２の部材及び操作部材は、同一の構成要素の２つの部分を形成することができる。
【００２９】
一実施例では、操作部材は、垂直方向に移動させることでロック位置と解放位置の間で操作されることが可能である。垂直方向は、それ自体時計の背の平面として規定されている水平面に対して垂直である。
【００３０】
一実施例では、ロックの第１の部材は、ミドルに固定して結合されたボルトで構成されている。ロックの第２の部材は、ボルトのロック位置とボルトの解放位置の間で対のホーンに対して可動なキーパで構成されている。
【００３１】
一実施例では、ロックの第１の部材は、ミドルの側面において径方向に延びている。この部材は、２つの側方のストック（ｓｔｏｃｋ）において途切れる中央の脱進軸を有するアンクル形状であり得る。ロックの第２の部材は、ロックの第１の部材がロック位置において通過するウィンドウを含んでいる。可動のキーパを形成するこのウィンドウは、ロックの第１の部材を挿入し、引き抜くことを可能とする拡大された部分と、ロックの第１の部材を挿入し、引き抜くことを防止する狭小部分とを含んでいる。対のホーンに取り付けられた弾性的な復帰要素がロックの第２の部材をロック位置へ押し戻すときに、（アンクル形状の）ロックの第１の部材は、ウィンドウの狭小部分を通過するが、ウィンドウの狭小部分を通過できないアンクルのストックによって脱出が防止されている。
【００３２】
弾性的な復帰要素は、ロックの第２の部材において支持する１つ又はより多くの板バネで構成されることができる。
【００３３】
板バネは、垂直方向においてロックの第２の部材を押圧するために、垂直方向に作用することが可能である。
【００３４】
他の一実施例では、ロック位置と解放位置の間の操作部材の移動方向は、水平面に対してほぼ垂直である。この態様により、操作部材とユーザの腕の間の接触を低減することができ、したがって、ユーザのけがのリスクを制限することができる。
【００３５】
一実施例では、ロックの第２の部材が、ロック位置と操作位置の間で水平面に対して垂直な軸周りに旋回するように適合されることができる。この軸は、対のホーンに対して固定されることができる。
【００３６】
一実施例では、ロックの第１の部材は、ミドルの側面における溝又は他のキーパで構成されている。ロックの第２の部材は、ロック位置におけるこの溝において係合したボルト又は他の部分と、解放位置における溝の外側とで構成されている。
【００３７】
一実施例では、操作部材が、ユーザによって作動され得る可動のボタンで構成されることができるとともに、ロックの第２の部材をロック解除するために解放位置においてロックの第２の部材に作用する。したがって、操作部材及びロックの第２の部材は、要求に依存して、異なる材料で必要に応じて製造可能な２つの別個の部材で構成されている。
【００３８】
一実施例では、ロックの第２の部材は、ロック位置と操作位置の間で水平面において径方向へ並進運動するように適合されることができる。
【００３９】
操作部材は、水平に操作されることが可能である。
【００４０】
復帰部材は、時計の外部へ向いたほぼ水平方向において操作部材を押圧することができる。
【００４１】
対のホーンにより、腕時計ストラップ部分の保持が可能である。
【００４２】
二対のホーンは、腕時計ストラップの２つの部分を保持するために設けられることができる。
【００４３】
腕時計ストラップの部分は、対のホーンとミドルの部分の間にサンドイッチされることができる。
【００４４】
装置は、底部から頂部へ、対のホーンの部分と、この部分及び２つのホーンの間へ挿入された腕時計ストラップの端部と、ミドルの部分とを含む垂直方向のスタック（ｓｔａｃｋ）を含むことができる。
【００４５】
腕時計の取外し及び取り換えには、ホーンの取外しが必要であり得る。
【００４６】
したがって、腕時計ストラップの保持が容易となる。したがって、腕時計ストラップは、よりシンプルであるとともにより経済的に生産可能である。取外し可能な結合の複雑性は、長持ちする部分である対のホーンへ移行されている。
【００４７】
腕時計ストラップを複数対のホーンに対して位置決めするために、腕時計ストラップにスプリングボールを設けることができる。
【００４８】
本願は、主題のために、時計ケースに腕時計ストラップを組み付ける方法であって、以下のステップ：
対のホーンにおいて腕時計ストラップを挿入するステップと、
腕時計ストラップ及び対のホーンで構成されたアセンブリを時計ケースの外面において挿入するステップと、
対のホーンに取り付けられた操作部材を操作することでアセンブリをロックするステップと
を含んでいる、前記方法も有している。
【００４９】
本発明の実施例は、添付の図面によって示された説明において表される。
【図面の簡単な説明】
【００５０】
【図１】第１の実施例による、組み付け後の時計ケースと、腕時計ストラップ範囲を有する対のホーンの側面図である。
【図２】第１の実施例による、組み付け後の時計ケースと、腕時計ストラップ範囲を有する対のホーンの側面図である。
【図３】第１の実施例による、組み付け前の時計ケースと、腕時計ストラップ範囲を有する対のホーンの背面図である。
【図４】第１の実施例による、組み付け後の時計ケース部分と、腕時計ストラップ範囲を有する対のホーンの径方向断面図である。
【図５】第１の実施例による、組み付け後の時計ケース部分と、腕時計ストラップ範囲を有する対のホーンとの水平方向断面図である。
【図６】第１の実施例による、対のホーンと、ロックの第２の部材の斜視図である。
【図７】第１の実施例による、組み付け前の対のホーンと、腕時計ストラップの斜視図である。
【図８】第１の実施例による、対のホーンのロック中及び対のホーンのロック前の時計ケース部分と、腕時計ストラップ範囲を有する対のホーンとの径方向断面図である。
【図９】第１の実施例による、対のホーンのロック中及び対のホーンのロック後の時計ケース部分と、腕時計ストラップ範囲を有する対のホーンの径方向断面図である。
【図１０】第２の実施例による、組み付け前の時計ケースと、腕時計ストラップ範囲を有する対のホーンの側面図である。
【図１１】第２の実施例による、組み付け前の時計ケースと、腕時計ストラップ範囲を有する対のホーンの背面図である。
【図１２】第２の実施例による、対のホーンと、ロックの第２の部材の斜視図である。
【図１３】第２の実施例による、対のホーンのロック中及び対のホーンのロック後の時計ケース部分と、腕時計ストラップ部分を有する対のホーンの径方向断面図である。
【図１４】組み付け前の腕時計ストラップ部分と対のホーンを示す図である。
【図１５】第３の実施例による、組み付け前の時計ケースと、腕時計ストラップ範囲を有する対のホーンの背面図である。
【図１６】第３の実施例による、対のホーンと、ロックの第２の部材の斜視図であり、操作部材はロック位置にある。
【図１７】第３の実施例による、対のホーンと、ロックの第２の部材の斜視図であり、操作部材は解放位置にある。
【図１８】第３の実施例による、組み付け後の時計ケース部分と、腕時計ストラップ部分を有する対のホーンとの水平方向断面図である。
【図１９】組み付け前の第３の実施例による腕時計ストラップ部分と対のホーンを示す図である。
【図２０】第４の実施例による、ロック後の時計ケース部分と、（腕時計ストラップを有さない）対のホーンとの径方向断面図である。
【図２１】第４の実施例による、組み付け前の時計ケースと、腕時計ストラップ部分を有する対のホーンの背面図である。
【図２２】組み付けに用いられる相補的な形状を示す、時計ケース部分と、（腕時計ストラップを有さない）対のホーンの径方向断面図である。
【図２３】本発明の第５の実施例による、腕時計ストラップを有さない対のホーンの下方から見た斜視図である。
【図２４】図２３に基づく対のホーンの斜視図であり、操作部材は解放位置において圧縮されている。
【図２５】本発明の第５の実施例による、腕時計ストラップを有さない対のホーンの分解図である。
【図２６】本発明の第５の実施例による、腕時計ストラップを有さない対のホーンの他の分解図である。
【図２７】本発明の第５の実施例による、腕時計ストラップを有さない対のホーンの径方向の断面図であり、操作部材はロック位置にある。
【図２８】本発明の第５の実施例による、腕時計ストラップを有さない対のホーンの径方向の断面図であり、操作部材は解放位置にある。
【図２９】本発明の第５の実施例による対のホーンの径方向の斜視図であり、特にミドルにおけるガイドのための相補的な形状が図示されている。
【発明を実施するための形態】
【００５１】
本発明の第１の実施例が図１〜図９に図示されている。
【００５２】
図１には、ミドル（ミドルケース）１Ａと、腕時計ストラップ部分５が取り付けられた取り外し可能な一対のホーン３Ａとを含む時計ケースが図示されている。不図示の取り外し可能な他の対のホーン及び他の腕時計ストラップ部分は、ミドルの反対側に取り付けられることができる。図３は、これら要素の背面図である。
【００５３】
腕時計ストラップ部分５は、この腕時計ストラップ部分を垂直方向に（すなわち時計の後ろの平面に対してほぼ垂直な方向に）移動させることで対のホーン３（ここでは３Ａ）に一時的に挿入されている。そして、ホーン及び腕時計ストラップで構成されたアセンブリは、ミドル１（ここでは１Ａ−図２）へ組み付けられる。ミドル１における対のホーン３のこの組み付けにより、他の実施例のように、腕時計ストラップ部分の軸方向の抜けを防止することで腕時計ストラップ部分の保持も可能となる。
【００５４】
時計ケースに結合された第１の部材１０Ａと、第２の部材３１Ａ（図４）とを含むロックにより、対のホーン３Ａとミドル１Ａの間の組み付けのロックが可能である。後述するように、対のホーン３Ａと、したがって腕時計ストラップ部分５は、第２の部材をロック位置から解放位置へ移動させるためにロックの第２の部材を操作することによってのみミドルから解放されることができる。
【００５５】
図６には、二対のホーン３Ａのうち１つ及び第２のロック部材３１Ａが図示されている。この部材３１Ａは、対のホーン３Ａに形成された２つの溝３７において垂直方向に摺動することが可能である。ここでは２つの板バネ３４Ａ（図７）で構成された弾性復帰要素は、第２の部材をロック位置へ、すなわち図の底部へ向けて押し戻すために、ロックの第２の部材へ復帰力を加える。
【００５６】
第２のロック部材３１Ａは、操作部材３０Ａも含む構成要素の一部を構成している。例えば図３において見られるように、操作部材を、対のホーンの内面の下方において見て取ることができる。ユーザは、第２のロック部材を図の上部へ向けて、すなわちロックの解放位置へ押すために、工具なしに操作部材を操作することが可能である。
【００５７】
第２のロック部材３１Ａは、第１の部材１０Ａを挿入することができるキーパを構成するウィンドウ３１０を含んでいる。したがって、この実施例では、ミドル１Ａに対する対のホーン３Ａのロックは、ミドルに結合された固定ボルトと、ホーンのついに結合された摺動キーパとを有するロック機構によりもたらされる。ロックの第１の部材１０Ａは、脱進軸（ｖｅｒｇｅ）と、この脱進軸の端部において各側から延びる２つのストック（ｓｔｏｃｋ）とを有するアンクル（ａｎｃｈｏｒ）の形状を有している。ウィンドウ３１０は、第１の部材１０Ａの挿入又は引き抜きを可能とする拡大部分３１２と、この第１の部材１０Ａの通過を阻止する狭小部分３１１とをもった逆Ｔ字状の形状を有している。
【００５８】
腕時計ストラップ部分は、二対のホーン３Ａの間に、ミドル１Ａへのこの対の取付前に一時的に挿入される。腕時計ストラップの端部における、及びホーンの間の空間における相補的（補足的）な形状５３により入れ子（ｎｅｓｔｉｎｇ）にすることが可能である。さらに、腕時計ストラップ５の端部は、二対のホーン３Ａの間に形成されたハウジング３５（図８）に位置決めされたバネ５１におけるボール５０を用いて所定の位置に保持されている。
【００５９】
同様に、対のホーン３Ａは、ミドル１Ａの側面における対のホーン３Ａ及び１３での相補的な形状３８の入れ子により、ミドル１Ａの外面に位置決めされている。
【００６０】
図４、図５、図８及び図９には、ミドル１Ａに組み付けられた対のホーン３Ａの異なる断面図が図示されている。図８には、ロック前の様々な要素の位置が示されている。この図では、第２の部材３１Ａが復帰バネ３４Ａによって下方へ、すなわちロック位置へ押圧されている。
【００６１】
対のホーン３Ａ及び腕時計ストラップ部分５をミドル１Ａに対して径方向に押圧することで、第２の部材３１Ａに対する第１の部材１０Ａの端部における傾斜した部分の圧力により、第２の部材３１Ａが解放位置へ上昇し、これにより、第１の部材１０Ａを、ウィンドウ３１０を通過させることが可能となる。そして、第２の部材３１Ａは、復帰バネ３４Ａの動作によって再び下方へ移動し、この復帰バネは、第１の部材１０Ａをロックし、したがってミドル及び対のホーンを含むアセンブリを図４、図５及び図９に図示された位置に保持する作用を有している。
【００６２】
ウィンドウ３１０を再び解放位置へ下方に移動させ、第１の部材１０Ａを引き抜くことができるように、操作部材３０Ａを操作することによってのみ、対のホーン３Ａが解放され得る。
【００６３】
腕時計ストラップ部分５は、対のホーン３（ここでは３Ａ）とミドル１（ここでは１Ａ）の間で保持されているため、ロック解除して対のホーン３を取り外さずには取り外されることができない。より精確にいえば、特に図４において見て取れるように、腕時計ストラップ部分５の長手端部における部分５２は、ミドル１Ａの部分１２と対のホーン３Ａの間でサンドイッチされている。水平な平面においては、腕時計ストラップ部分５の移動は、二対のホーン３Ａによって制限されている。
【００６４】
本発明の第２の実施例が図１０〜図１４に図示されている。図１０及び図１１において見て取れるように、ミドル１Ｂと、取り外し可能な対のホーン３Ｂと、これらホーン３Ｂとミドル１Ｂの間に保持された腕時計ストラップ５とを有する時計ケースがここでも含まれている。ミドル及び対のホーン３Ｂにおける相補的な形状１３は、これら要素のロック前にこれら要素を組み付けるために入れ子にされることができる。他の実施例におけるように、対のホーンをミドル１Ｂへ組み付けることによるホーンの保持の前に、相補的な形状により、腕時計ストラップ部分５の端部を対のホーン３Ｂの外面に対して入れ子にすることも可能である。
【００６５】
実施例３、実施例４及び実施例５において後述するように、この実施例では、対のホーン３Ｂは、軸方向、すなわち垂直方向の移動によってミドル１Ｂに取り付けられる。ミドル１Ｂにおける相補的な形状１３は、摺動経路を構成するとともに、ミドル１Ｂに対する対のホーン３Ｂのこの相対移動の軸方向のガイドを可能とするものである。
【００６６】
本実施例では、ホーンが一旦所定の位置にあるとすぐにこのアセンブリのロックを可能とするロックは、ミドル１Ｂ（第１の部材）の側面における溝１０Ｂと、回転運動可能で、対のホーン３Ｂの軸方向の移動を防止するために対のホーン３Ｂに取り付けられた第２の部材３１Ｂとで構成されている。第２の部材３１Ｂは、溝１０Ｂ（図１３）に係合したロック位置と、対のホーン３Ｂを取り付けられるか、又は取り外せる解放位置との間で、対のホーンの下側の面の下方で垂直軸３９周りに旋回可能である。このために、第２の部材３１Ｂは操作部材３０Ｂに結合されており、この操作部材により、第２の部材を軸３９周りに旋回させることで、解放位置において第２の部材の引き抜きが可能となる。復帰バネ３４Ｂ、例えば線バネは、溝１０Ｂの底部において第２の部材３１Ｂの支持圧力を作用させる。この第２の実施例の他の態様は、第１の実施例の態様と同一又は同様であり得る。
【００６７】
第３の実施例は、図１５〜図１９に図示されている。第２の実施例におけるように、ミドル１Ｃの外縁における溝で構成された第１の部材１０Ｃから第１の部材を係合解除するために、対のホーン３は、ロックの第２の部材３１Ｃを対のホーン３Ｃに結合された軸３９周りに回転運動させることで、ミドル１Ｃにおいてロック解除される。復帰バネ３４Ｃは、ミドルに対する対のホーン３Ｃの軸方向の移動を妨げるために、ロック位置において、溝の底部に対してこの第２の部材を押圧する。したがって、ロックは、ミドル１Ｃに対する対のホーン３Ｃの分離を妨げるものである。
【００６８】
しかしながら、この実施例では、操作部材３０Ｃは、ロックの第２の部材３１Ｃから分離された構成要素で構成されている。この例では、操作部材は、ロック位置と解放位置の間で水平な平面において摺動するボタンで構成されている。操作部材３０Ｃ及び第２の部材３１Ｂは、対のホーンの下側の面の下方におけるだ円形の開口部を通過するピンによって互いに結合されている。
【００６９】
図２０〜図２２には、本発明の第４の実施例が図示されている。この例では、ロックの第１の部材は、ミドル１Ｄの外縁におけるキーパを形成する溝１０Ｄで構成されている。ロックの第２の部材はボルト３１Ｄで構成されており、摺動ボルトの端部には、対のホーン３Ｄの下側の面の下方で操作部材３０Ｄを含んでいる。対のホーン３Ｄの面における止まり穴３２に収容された復帰バネ３４Ｄは、溝１０Ｄ（キーパ）において第２の部材３１Ｄ（ボルト）が係合するように摺動ボルトを押し戻す。このロック位置では、ロックは、ミドル１Ｄに対する対のホーンの軸方向の移動を妨げるものである。ロックの２つの部材を係合解除するために、及び対のホーンをミドル１Ｄに対して軸方向に移動することで対のホーンを挿入又は引き抜くために、操作部材３０Ｄは外方へ引き出されることが可能である。
【００７０】
図２３〜図２８には、本発明の第５の実施例が図示されている。この例では、ロックの第１の部材は、ここでも、ミドル１Ｅの外縁におけるキーパを形成するとともに垂直方向（軸方向）の移動により対のホーン３Ｅの引き抜きを防止する溝１０Ｅ（図２７）で構成されている。ロックの第２の部材はボルト３１Ｅで構成されており、このボルトは、この溝において径方向に移動するとともに、対のホーン３Ｅの内面における開口部３１０によるこの移動についてガイドされている。
【００７１】
ロック位置では、特に図２５及び図２６において視認可能な、対のホーン３Ｅに結合された２つの復帰バネ３４Ｅ、ここではコイルバネによって、第２の部材３１Ｅが溝１０Ｅの底部に対して押圧されている。
【００７２】
解放位置では、第２の部材３１Ｅは、復帰バネ３４Ｅの動作に抗して、時計の外部の方向において径方向へ移動する。この移動は、対のホーンの内面の下方における押しボタンで構成された操作部材３０Ｅによってもたらされる。ボタン３０Ｅは、端部が斜面を形成するロッド３０１を含んでいる。図２７に図示されたロック位置と図２８に図示された解放位置の間で第２の部材３１Ｅを移動させるように、この斜面３０３は、第２の部材３１１の下方で相補的な斜面３１１に対して押圧される。この解放位置では、第２の部材３１Ｅの端部は、ホーンの内側に完全に入っており、もはやウィンドウ３１０を越えて突出しない。
【００７３】
操作部材３０Ｅは、ロッド３０１が貫通するカバー３００によって、垂直方向の移動についてガイドされている。スプリングボール３０４は、これが圧縮されるときにこの部材を押し戻す力を作用させる。さらに、ロッド３０１の各側におけるピン３０２により、操作部材３０Ｅの垂直方向の移動が可能となる。
【００７４】
装置全体は、ホーンの間の空間にネジ３２０を用いて螺着されたキャップ３２２によって隠されている。
【００７５】
第２の部材３１Ｅの端部は、ミドル１Ｅへの対のホーンの挿入に際して第２の部材を引き抜くことができるように傾斜した斜面を備えている。
【００７６】
上述のように、各対のホーンは、軸方向の相対移動によって実施例２〜実施例５のミドル１において入れ子にされており、ロックによって、入れ子にされた位置を維持することができる。
【００７７】
この垂直方向の移動は、ミドル１における相補的な形状１３及び対のホーン３における相補的な形状３８が互いにフィットすることでガイドされる。図２２に基づく実施例では、これら相補的な形状は、ミドル及び対のホーン３における止まり穴において係合するピン３３を含んでいる。図２３〜図２９の実施例では、対のホーン３Ｅにおける相補的な形状３８は、２つのエンドミル（ブラインド溝）を含んでいる。このガイド要素３８は、浅い深さのみを必要とするとともに、対のホーンが取り付けられるときに全体的に隠される。
【符号の説明】
【００７８】
１            ミドル
３            対のホーン
５            腕時計ストラップ部分
１０          ミドルに結合されたロックの第１の部材
１１          ミドルの側面
１２          腕時計ストラップをサンドイッチするミドルの部分
１３          相補的な形状
３０          操作部材
３００        操作部材３０のガイドカバー
３０１        操作要素３０のロッド
３０２        操作要素３０のガイドピン
３０３        ロッド３０２の斜めの端部
３０４        スプリングボール
３１          ロックの第２の部材
３１０        第２のロックの通路のためのウィンドウ
３２          復帰バネを収容する止まり穴
３２２        キャップ
３３          ミドルにおいてホーンを位置決めするためのピン
３４          弾性的な復帰要素
３５          ボール５０のための対のホーンにおけるハウジング
３６          第１の部材の端部のための対のホーンにおけるハウジング
３７          垂直方向の溝
３８          相補的な形状
３９          第１の部材の軸
５０          スプリングボール
５１          バネ
５２          対のホーンとミドルの部分の間でサンドイッチされた腕時計ストラップの部分
５３          相補的な形状
【図１】
2019515300.tif 000003
【図２】
2019515300.tif 000004
【図３】
2019515300.tif 000005
【図４】
2019515300.tif 000006
【図５】
2019515300.tif 000007
【図６】
2019515300.tif 000008
【図７】
2019515300.tif 000009
【図８】
2019515300.tif 000010
【図９】
2019515300.tif 000011
【図１０】
2019515300.tif 000012
【図１１】
2019515300.tif 000013
【図１２】
2019515300.tif 000014
【図１３】
2019515300.tif 000015
【図１４】
2019515300.tif 000016
【図１５】
2019515300.tif 000017
【図１６】
2019515300.tif 000018
【図１７】
2019515300.tif 000019
【図１８】
2019515300.tif 000020
【図１９】
2019515300.tif 000021
【図２０】
2019515300.tif 000022
【図２１】
2019515300.tif 000023
【図２２】
2019515300.tif 000024
【図２３】
2019515300.tif 000025
【図２４】
2019515300.tif 000026
【図２５】
2019515300.tif 000027
【図２６】
2019515300.tif 000028
【図２７】
2019515300.tif 000029
【図２８】
2019515300.tif 000030
【図２９】
2019515300.tif 000031
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
ミドル（１）と、
腕時計ストラップ部分（５）を保持するための、及び当該ホーンをロックする位置と当該ホーンを解放する位置の間で切換可能なロックにより前記ミドルに保持された少なくとも一対のホーン（３）と、
前記ミドルに結合された第１の部材（１０）と、該第１の部材と相補的な第２の部材（３１）とを含み、前記対のホーンに取り付けられたロックと
を含む時計ケースにおいて、
前記対のホーン（３）に取り付けられ、前記ホーンをロックする位置と前記ホーンを解放する位置の間で前記ロックを切り換えるために前記第２の部材の移動を可能とする操作部材（３０）が設けられていることを特徴とする時計ケース。
【請求項２】
前記操作部材を前記ロック位置へ押し戻すために前記対のホーン（３）に取り付けられた弾性的な復帰要素（３４）を含むことを特徴とする請求項１に記載の時計ケース。
【請求項３】
前記操作部材が前記対のホーン（３）に後ろ側で設けられていることを特徴とする請求項１又は２に記載の時計ケース。
【請求項４】
前記ロックの前記第２の部材（３１Ａ）及び前記操作部材（３０Ａ）が同一の要素の２つの部分を形成していることを特徴とする請求項１〜３のいずれか１項に記載の時計ケース。
【請求項５】
当該時計ケースが水平面を規定する底部を含み、前記ロック位置と前記解放位置の間の前記操作部材（３０Ａ）の移動の方向が、前記水平面に対してほぼ垂直であることを特徴とする請求項１〜４のいずれか１項に記載の時計ケース。
【請求項６】
当該時計ケースが水平面を規定する背部を含み、前記ロック位置と前記解放位置の間の前記操作部材（３０Ｂ）の移動の方向が、前記水平面に対してほぼ平行であることを特徴とする請求項１〜４のいずれか１項に記載の時計ケース。
【請求項７】
前記対のホーン（３）及び前記ミドル（１）が、前記ミドル（１）における軸方向において前記対のホーンを挿入する間に、前記対のホーンをガイドするために相補的な形状（３８，１３）を有しており、前記ロックが、前記ロック位置におけるこの軸方向の移動を防止するために径方向に作用することを特徴とする請求項１〜６のいずれか１項に記載の時計ケース。
【請求項８】
前記腕時計ストラップ部分（５）の部分（５２）が、前記対のホーン（３）と前記ミドルの部分（１２）の間でサンドイッチされていることを特徴とする請求項１〜７のいずれか１項に記載の時計ケース。
【請求項９】
請求項１〜８のいずれか１項に記載の時計ケース（１）に腕時計ストラップ（５）を組み付ける方法であって、以下のステップ：
対のホーン（３）において前記腕時計ストラップ（５）を挿入するステップと、
前記腕時計ストラップ（５）及び前記対のホーン（３）で構成されたアセンブリを前記時計ケース（１）の外面（１１）において挿入するステップと、
前記対のホーンに取り付けられた操作部材（３０）を操作することで前記アセンブリをロックするステップと
を含んでいる、前記方法。
【国際調査報告】
2019515300.tif 000032
2019515300.tif 000033
2019515300.tif 000034
2019515300.tif 000035